(57)【要約】【課題】植栽上有用な微生物を土壌中に残存させながら、早期に、有害な微生物を効果的に除菌して、土壌を活性化するようにする。【解決手段】濃度５００〜７００ｐｐｍの範囲にある二酸化塩素の水溶液に、炭酸水素ナトリウムを０．５〜１質量％添加し、更にクエン酸を０．０１〜０．０５質量％添加することによって、土壌活性化剤を得る。この土壌活性化剤は、１反当り２０００〜２５００リットルの割合で土壌に散布することにより、土壌中の微生物を選択的に除菌し、早期に、植栽用土壌の活性化を行うことができる。【選択図】なし【特許請求の範囲】
【請求項１】
濃度５００〜７００ｐｐｍの二酸化塩素水溶液に、０．５〜１質量％の炭酸水素ナトリウム及び０．０１〜０．０５質量％のクエン酸を添加した土壌活性化剤。
【請求項２】
濃度５００〜７００ｐｐｍの二酸化塩素水溶液に、０．５〜１質量％の炭酸水素ナトリウム及び０．０１〜０．０５質量％のクエン酸を添加した土壌活性化剤を、１反当り２０００〜２５００リットルの割合で土壌に散布することにより、土壌中の微生物を選択的に除菌し、該土壌を植栽に使用することを特徴とする植栽用土壌の活性化方法。
【発明の詳細な説明】
【技術分野】
【０００１】
本発明は土壌活性化剤、特に、健全な植栽ができるように土壌を活性化する土壌活性化剤及び活性化方法に関する。
【背景技術】
【０００２】
土壌中には、植物栽培上から有効な細菌や放線菌などの微生物の他、糸状菌などの有害な微生物が生息している。
これらの微生物は、植物の根系と深い関わり合いがあり、本来的には上記有効な微生物と有害な微生物の拮抗関係が望ましいが、土壌処理に際して除菌剤の殺菌力の弱いものでは有害な微生物を充分に除去することができない。
逆に、クロルピクリンやトラペックサイド油剤などの強力な除菌剤では、植栽に有効な微生物までも同時に除去してしまう欠点があった。また、有害微生物の耐性化によって、殺菌効果は著しく低下しつつあり、環境汚染や人体への影響も顕著になっている。
そして、平成１８年の農薬取締法の改正に伴う規制強化によって、病害が多発化しており、植栽作業面からも問題が大きくなり、複雑化している。
【０００３】
本発明者は、先に、濃度５００〜７００ｐｐｍの二酸化塩素水溶液を、１反当り２０００〜２５００Ｌの割合で土壌に散布することによって、植栽用土壌を活性化する方法を提供し、これによって大きな効果を挙げてきた。（特許文献１）
そして、その後の普及の段階において、生産者の圃場の一部に土壌疲弊化に伴って病害の温床となっている土壌が見受けられ、こうした圃場の健全化を図るためにこれを使用した場合に、回復力が見られるものの早期の解決には至らないこともあり、継続的な使用によって徐々に土壌を健全化して行く他ないこともあった。
【特許文献１】特許第２６８６５９１号公報
【発明の開示】
【発明が解決しようとする課題】
【０００４】
本発明者は、上記した状況から、先に提供した発明を更に改良し、植栽上有用な微生物を土壌中に残存させながら、早期に、有害な微生物を効果的に除菌して、土壌を活性化することができることと、土壌中に存在している有効微生物を速やかに増殖活性化させることによって、植栽上健全な土壌を維持、持続させると共に、人畜無害の土壌活性除菌剤を提供しようとするものである。
【課題を解決するための手段】
【０００５】
本発明は、種々研究、改良の結果、濃度５００〜７００ｐｐｍの範囲にある二酸化塩素の水溶液に、炭酸水素ナトリウムを０．５〜１質量％添加し、更にクエン酸を０．０１〜０．０５質量％添加することによって、土壌活性化剤を得るものである。
この土壌活性化剤は、１反当り２０００〜２５００リットルの割合で土壌に散布することにより、土壌中の微生物を選択的に除菌し、植栽用土壌の活性化を行うことができる。
【発明の効果】
【０００６】
本発明は、濃度５００〜７００ｐｐｍの範囲にある二酸化塩素の水溶液に、０．５〜１質量％の炭酸水素ナトリウムと０．０１〜０．０５質量％のクエン酸を添加した土壌活性化剤であって、これを１反当り２０００〜２５００リットルの割合で土壌に散布することにより、土壌のｐＨ値を安定化させることができて二酸化塩素の反応性を高め、土壌環境の悪い圃場においても、植栽上有用な微生物を土壌中に残存させながら、早期に、有害な微生物を効果的に除菌して、土壌を活性化することができ、かつ土壌中に存在している有用微生物を速やかに増殖活性化させることによって、植栽上健全な土壌を維持、持続させることができる。また、この土壌活性化剤は、人畜に対して無害であって、安全に使用することができる。
【発明を実施するための最良の形態】
【０００７】
二酸化塩素は、種々の方法で作ることが可能であるが、例えば、亜塩素酸ナトリウムに塩素ガスを反応させて作ることができる。この二酸化塩素は非常に水に溶け易く、強力な酸化作用が見られるが、低濃度で使用すれば安全であるので、従来、紙、パルプ、油脂類、デンプン、小麦粉の漂白や、食品の加工消毒添加物、プール、浴場、浄水場での水消毒剤などとして、広く使用されている。
【０００８】
上記二酸化塩素は、水に溶かして濃度５００〜７００ｐｐｍの水溶液の状態で使用するが、この二酸化塩素には炭酸水素ナトリウムとクエン酸が加えられる。
添加するこの炭酸水素ナトリウムの濃度は約０．５〜１質量％にするとよく、またクエン酸の濃度は約０．０１〜０．０５質量％にするとよい。
上記炭酸水素ナトリウムとクエン酸の併用により、土壌のｐＨ値は約８．２９〜８．４９に安定化することができるようになり、このことが二酸化塩素の作用を更に効果的にしているものと推測される。
【０００９】
また、土壌においては、粘土などの土壌粒子の最小単位である一次粒子が集合して少し大きな二次粒子（微小団粒）を形成しており、これが更に集合して三次粒子（団粒）を形成している。細菌、放線菌などの有用な上記微生物は微小団粒の微細な小孔隙空間を住処としており、植物が植えられたときには植物根と共生関係を作り、根の届かない場所から水分や養分を供給するものと考えられている。
一方、糸状菌などの有害微生物は、上記した有用微生物よりも大きいので、多くは微小団粒と微小団粒の間の大孔隙空間を住処としている。
こうした土壌に対して上記本発明の活性化剤を使用した結果を観察すると、この活性化剤によって土壌のｐＨが調整され、また、酸素拡散誘導が起こると共に、上記糸状菌などの有害微生物に優先的に作用して、有害微生物の密度を低下させ、有用微生物に対する酸素供給が果たされて増殖活性を向上させ、併せて土壌の団粒構造化を促進させ、良好な土壌の生成に寄与しているものと考えられる。
【実施例】
【００１０】
濃度６０，０００ｐｐｍの二酸化塩素水溶液２０リットルに、水を加えて２，０００リットルになるように稀釈して、濃度６００ｐｐｍの二酸化塩素水溶液を作り、これに１４ｋｇ（０．７質量％）の炭酸水素ナトリウムと、０．６ｋｇ（０．０３質量％）のクエン酸を加えて、土壌活性化剤を得た。
【００１１】
上記土壌活性化剤の性能を見るために、下記する微生物培養試験を行った。
（微生物培養試験）
除菌処理前の土壌と、上記実施例の土壌活性化剤を、土壌１ｍ２当り約２．０１〜２．５２リットル（一反当り約２０００〜２５００リットル）の割合で散布し、散布後、二酸化塩素がほぼ消失するまで約２週間放置した除菌処理後の土壌をサンプリングし、これを稀釈平板法で測定した。
【００１２】
（細菌・放線菌の試験条件）
除菌処理前の土壌と、除菌処理後の土壌を採取して夫々よく攪拌し、各１０ｇずつ採って９０ｍｌの滅菌水に入れ、往復振とう機で１０分間振とうする。この振とうしたものを１次稀釈（１０倍）とする。この１次稀釈液をよく攪拌し、その１０ｇをとって９０ｍｌの滅菌水に入れて２次稀釈（１００倍）したものをよく攪拌し、逐次５次稀釈（１００，０００倍）まで繰返す。この５次稀釈したものを夫々エッグアルブミン培地にて、２８℃で１６８時間培養し、土壌１ｇ当りの細菌・放線菌数を測定した。なお、菌数の測定に当っては、カウントできる範囲があるので、カウントし易いように稀釈濃度が１００，０００倍〜１，０００，０００倍の範囲で計測した。
【００１３】
（糸状菌の試験方法）
除菌処理前の土壌と、除菌処理後の土壌を採取し、上記細菌・放線菌の試験条件と同様にして３次稀釈（１，０００倍）する。この３次稀釈したものを夫々ローズベンガル培地にて、２８℃で７２時間培養し、土壌１ｇ当りの糸状菌数を測定した。なお、菌数の測定に当っては、カウントできる範囲があるので、カウントし易いように稀釈濃度が１０倍〜１０，０００倍の範囲で計測した。
【００１４】
（試験結果）
上記微生物培養試験の結果は表１に示すとおりである。
【００１５】
【表１】
2008308564.tif 000002
【００１６】
（考察）
微生物培養試験の結果によれば、土壌処理前に比べて、土壌処理後では、細菌数と放線菌数が減っているものの、なお多数の細菌と放線菌が残存している。その一方、糸状菌数は大幅に減少しており、処理後の残存量は極めて少なく、一般に土壌にとって有害とされている糸状菌を効果的に減少させていることが判る。